(57)【要約】【課題】  本発明は、映像信号処理装置に関し、例えばビデオ信号のフォーマット変換装置、フィールド周波数変換装置等に適用して、リアルタイムの処理が求められる場合と、リアルタイムの処理が求められない場合との双方に適したビデオ信号の処理を実行することができるようにする。【解決手段】  本発明は、第１の動きベクトル検出回路８による処理速度の速い処理系統と、第１の動きベクトル検出回路８に比して検出精度の高い第２の動きベクトル検出回路９による処理系統とでビデオ信号Ｓ１の処理を切り換える。【選択図】        図１
2006092399.tif 000002
【特許請求の範囲】
【請求項１】
入力ビデオ信号を処理して、第１の動きベクトルを検出する第１の動きベクトル検出回路と、
前記第１の動きベクトルを用いて前記入力ビデオ信号を動き補正する第１の動き補正回路と、
前記入力ビデオ信号を処理して、前記第１の動きベクトルより精度の高い第２の動きベクトルを検出する第２の動きベクトル検出回路と、
前記第２の動きベクトルを用いて前記入力ビデオ信号を動き補正する第２の動き補正回路と、
前記第１の動きベクトル検出回路と前記第１の動き補正回路とを用いた前記入力ビデオ信号の処理と、前記第２の動きベクトル検出回路と前記第２の動き補正回路とを用いた前記入力ビデオ信号の処理とを切り換える切替回路と
を備えることを特徴とする映像信号処理装置。
【請求項２】
前記入力ビデオ信号を一時保持して前記第２の動きベクトル検出回路に出力する記憶部を有し、
前記第２の動きベクトル検出回路は、
前記記憶部による繰り返しの前記入力ビデオ信号の入力により、比較フィールドの異なる複数種類の動きベクトルにより前記第２の動きベクトルを検出する
ことを特徴とする請求項１に記載の映像信号処理装置。
【請求項３】
前記第２の動きベクトル検出回路は、
前記第１の動きベクトルを基準にして前記第２の動きベクトルを検出する
ことを特徴とする請求項２に記載の映像信号処理装置。
【請求項４】
前記第１の動きベクトル検出回路は、
マクロブロック単位により前記第１の動きベクトルを検出し、
前記第２の動きベクトル検出回路は、
画素単位により前記第２の動きベクトルを検出する
ことを特徴とする請求項３に記載の映像信号処理装置。
【請求項５】
前記入力ビデオ信号を順次フィールド単位で遅延させる遅延回路を有し、
前記切替回路は、
前記入力ビデオ信号と前記遅延回路の出力信号とを前記第１又は第２の動きベクトル検出回路に切り換えて出力する
ことを特徴とする請求項１、請求項２、請求項３又は請求項４に記載の映像信号処理装置。
【発明の詳細な説明】
【技術分野】
【０００１】
本発明は、映像信号処理装置に関し、例えばビデオ信号のフォーマット変換装置、フィールド周波数変換装置等に適用することができる。本発明は、第１の動きベクトル検出回路による処理速度の速い処理系統と、第１の動きベクトル検出回路に比して検出精度の高い第２の動きベクトル検出回路による処理系統とでビデオ信号の処理を切り換えることにより、リアルタイムの処理が求められる場合と、リアルタイムの処理が求められない場合との双方に適したビデオ信号の処理を実行することができるようにする。
【背景技術】
【０００２】
従来、ビデオ信号の高能率符号化処理においては、動きベクトルを用いてフレーム間符号化処理の効率を向上させるようになされており、またテレビジョン信号のフォーマット変換においては、動きベクトルを用いた動き補正により、フィールド数の変換によるギクシャクとした動きを滑らかな動きに補正するようになされている。
【０００３】
このような動きベクトルの検出は、ｍ画素×ｎライン（ｍ、ｎは整数）による動きベクトルの検出単位（すなわちマクロブロックである）にビデオ信号をブロック化し、各ブロック毎に動きベクトルを検出するようになされており、例えば特開昭５５−１６２６８３号公報、特開昭５５−１６２６８４号公報に開示のパターンマッチング法、特開昭６０−１５８７８６号公報に開示の勾配法、位相相関法等が用いられるようになされている。
【０００４】
このような動きベクトル検出手法のうち勾配法においては、例えば特開昭６２−２０６９８０号公報に、初期偏位ベクトルを用いて動きベクトルを検出する方法が提案されるようになされている。
【０００５】
ところでこのようなビデオ信号の処理においては、例えば生中継によるビデオ信号のフォーマットを変換してそのまま放送する場合もある。この場合、ビデオ信号の処理は、リアルタイムで処理することが求められる。またこのようなビデオ信号は、生中継によるビデオ信号に比して、一過性のものであることにより、動きベクトルを用いた動き補正に若干の画像歪みが発生していても許容される。
【０００６】
これに対して例えばコマーシャル等のいわゆる素材に近いビデオ信号を処理する場合には、リアルタイムにより処理することは求められないものの、極力画像歪みの発生を防止することが求められる。これによりこの場合、リアルタイムによる処理が求められる場合に比して、動きベクトルの検出精度を向上し、また動きベクトルによる動き補正精度を向上することが望まれる。
【０００７】
これらにより１台の映像信号処理装置において、このようにリアルタイムの処理が求められる場合と、リアルタイムの処理が求められない場合との双方に適したビデオ信号の処理を実行することができれば、便利であると考えられる。
【特許文献１】特開昭５５−１６２６８３号公報
【特許文献２】特開昭５５−１６２６８４号公報
【特許文献３】特開昭６０−１５８７８６号公報
【特許文献４】特開平４−７８２８６号公報
【特許文献５】特開平７−１３５６６３号公報
【発明の開示】
【発明が解決しようとする課題】
【０００８】
本発明は以上の点を考慮してなされたもので、リアルタイムの処理が求められる場合と、リアルタイムの処理が求められない場合との双方に適したビデオ信号の処理を実行することができる映像信号処理装置を提案しようとするものである。
【課題を解決するための手段】
【０００９】
かかる課題を解決するため請求項１の発明においては、映像信号処理装置に適用して、入力ビデオ信号を処理して、第１の動きベクトルを検出する第１の動きベクトル検出回路と、前記第１の動きベクトルを用いて前記入力ビデオ信号を動き補正する第１の動き補正回路と、前記入力ビデオ信号を処理して、前記第１の動きベクトルより精度の高い第２の動きベクトルを検出する第２の動きベクトル検出回路と、前記第２の動きベクトルを用いて前記入力ビデオ信号を動き補正する第２の動き補正回路と、前記第１の動きベクトル検出回路と前記第１の動き補正回路とを用いた前記入力ビデオ信号の処理と、前記第２の動きベクトル検出回路と前記第２の動き補正回路とを用いた前記入力ビデオ信号の処理とを切り換える切替回路とを備えるようにする。
【００１０】
また請求項２の発明においては、請求項１の構成において、前記入力ビデオ信号を一時保持して前記第２の動きベクトル検出回路に出力する記憶部を有し、前記第２の動きベクトル検出回路は、前記記憶部による繰り返しの前記入力ビデオ信号の入力により、比較フィールドの異なる複数種類の動きベクトルにより前記第２の動きベクトルを検出する。
【００１１】
また請求項３の発明においては、請求項２の構成において、前記第２の動きベクトル検出回路は、前記第１の動きベクトルを基準にして前記第２の動きベクトルを検出する。
【００１２】
また請求項４の発明においては、請求項３の構成において、前記第１の動きベクトル検出回路は、マクロブロック単位により前記第１の動きベクトルを検出し、前記第２の動きベクトル検出回路は、画素単位により前記第２の動きベクトルを検出する。
【００１３】
また請求項５の発明においては、請求項１、請求項２、請求項３又は請求項４の構成において、前記入力ビデオ信号を順次フィールド単位で遅延させる遅延回路を有し、前記切替回路は、前記入力ビデオ信号と前記遅延回路の出力信号とを前記第１又は第２の動きベクトル検出回路に切り換えて出力する。
【００１４】
請求項１の構成により、映像信号処理装置に適用して、入力ビデオ信号を処理して、第１の動きベクトルを検出する第１の動きベクトル検出回路と、前記第１の動きベクトルを用いて前記入力ビデオ信号を動き補正する第１の動き補正回路と、前記入力ビデオ信号を処理して、前記第１の動きベクトルより精度の高い第２の動きベクトルを検出する第２の動きベクトル検出回路と、前記第２の動きベクトルを用いて前記入力ビデオ信号を動き補正する第２の動き補正回路と、前記第１の動きベクトル検出回路と前記第１の動き補正回路とを用いた前記入力ビデオ信号の処理と、前記第２の動きベクトル検出回路と前記第２の動き補正回路とを用いた前記入力ビデオ信号の処理とを切り換える切替回路とを備えるようにすれば、リアルタイムで処理する場合には、第１の動きベクトル検出回路、第１の動き補正回路によりビデオ信号を処理することができ、またリアルタイムで処理する必要の無い場合には、第２の動きベクトル検出回路、第２の動き補正回路によりビデオ信号を処理して画像歪みを防止することができ、これらによりリアルタイムの処理が求められる場合と、リアルタイムの処理が求められない場合との双方に適した映像信号の処理を実行することができる。
【００１５】
また請求項２の構成により、請求項１の構成において、前記入力ビデオ信号を一時保持して前記第２の動きベクトル検出回路に出力する記憶部を有し、前記第２の動きベクトル検出回路は、前記記憶部による繰り返しの前記入力ビデオ信号の入力により、比較フィールドの異なる複数種類の動きベクトルにより前記第２の動きベクトルを検出すれば、リアルタイムの処理が求められない場合に、時分割により複数種類の動きベクトルを検出し、これら複数種類の動きベクトルを用いて動き補正することにより、動きベクトルの誤検出を防止し、さらには動き補正の精度を向上することができ、その分、簡易な構成により一段と画像歪みの発生を防止することができる。
【００１６】
また請求項３の構成により、請求項２の構成において、前記第２の動きベクトル検出回路は、前記第１の動きベクトルを基準にして前記第２の動きベクトルを検出すれば、第１の動きベクトル検出回路の構成を利用して簡易な構成により高い精度で第２の動きベクトルを検出することができ、これにより第１の動きベクトルに係る構成と、第２の動きベクトルに係る構成とで構成を共用化し、その分、全体構成を簡略化することができる。
【００１７】
また請求項４の構成により、請求項３の構成において、前記第１の動きベクトル検出回路は、マクロブロック単位により前記第１の動きベクトルを検出し、前記第２の動きベクトル検出回路は、画素単位により前記第２の動きベクトルを検出すれば、リアルタイムの処理においては、ブロック単位の処理により処理速度を優先してビデオ信号を処理し、リアルタイムの処理が求められない場合には、画素単位の処理により画像歪みの発生防止を優先して処理することができる。
【００１８】
また請求項５の構成により、請求項１、請求項２、請求項３又は請求項４の構成において、前記入力ビデオ信号を順次フィールド単位で遅延させる遅延回路を有し、前記切替回路は、前記入力ビデオ信号と前記遅延回路の出力信号とを前記第１又は第２の動きベクトル検出回路に切り換えて出力すれば、動きベクトルの検出に使用する遅延回路を第１及び第２の動きベクトル検出回路で共用化することができ、その分、全体構成を簡略化することができる。
【発明の効果】
【００１９】
本発明によれば、リアルタイムの処理が求められる場合と、リアルタイムの処理が求められない場合との双方に適した映像信号の処理を実行することができる。
【発明を実施するための最良の形態】
【００２０】
以下、適宜図面を参照しながら本発明の実施例を詳述する。
【実施例１】
【００２１】
（１）実施例の構成
図１は、本発明の実施例に係る映像信号処理装置を示すブロック図である。この映像信号処理装置１は、例えばビデオ信号Ｓ１のフィールド周波数変換装置に適用されて、動きベクトルを検出し、この動きベクトルによりビデオ信号Ｓ１を動き補正して出力する。
【００２２】
すなわちこの映像信号処理装置１において、記憶部２は、大容量の記憶装置であり、図示しないコントローラの制御により、ビデオ信号Ｓ１をリアルタイムにより処理しない場合に、処理対象のビデオ信号Ｓ１を一時記録して保持し、この保持したビデオ信号Ｓ１を記録時に比して例えば１／１０の低速度により所定のタイミングで出力する。具体的に、記憶部２は、例えばＳＤＴＶ方式のビデオ信号を１０分程度記憶可能な容量によるハードディスク装置により構成される。
【００２３】
切替回路３は、図示しないコントローラの制御により、ビデオ信号Ｓ１をリアルタイムにより処理しない場合、記憶部２から出力されるビデオ信号Ｓ１を選択的に出力するのに対し、ビデオ信号Ｓ１をリアルタイムにより処理する場合、この映像信号処理装置１に入力される処理対象のビデオ信号Ｓ１を選択して出力する。
【００２４】
フィールドメモリ４、５は、切替回路３から出力されるビデオ信号を順次遅延させて出力する。これにより映像信号処理装置１では、切替回路３から出力されるビデオ信号Ｓ２を現フィールドのビデオ信号としたとき、フィールドメモリ４、５からそれぞれこの現フィールドに対して前フィールド、前々フィールドのビデオ信号Ｓ３、Ｓ４を出力し、また最終段のフィールドメモリ５から出力されるビデオ信号Ｓ４を現フィールドのビデオ信号としたとき、フィールドメモリ４、切替回路３からこの現フィールドに対して後フィールド、後々フィールドのビデオ信号Ｓ３、Ｓ２を出力する。
【００２５】
切替回路６及び７は、図示しないコントローラの制御により、これらビデオ信号Ｓ２〜Ｓ４から動きベクトルの検出に供する基準フィールドのビデオ信号Ｓ６、比較フィールドのビデオ信号Ｓ７を選択して出力する。ここでビデオ信号Ｓ１をリアルタイムにより処理する場合、切替回路６及び７は、切替回路３、フィールドメモリ４から出力されるビデオ信号Ｓ２、Ｓ３をそれぞれ選択して出力する。
【００２６】
これに対してリアルタイムによりビデオ信号Ｓ１を処理しない場合、記憶部２の動作の制御と連動した設定の切り替えにより、現フィールドのビデオ信号と前フィールドのビデオ信号、現フィールドのビデオ信号と前々フィールドのビデオ信号、現フィールドのビデオ信号と後フィールドのビデオ信号、現フィールドのビデオ信号と後々フィールドのビデオ信号を順次フィールド単位で選択して出力する。しかしてこれにより記憶部２は、切替回路６、７によりこのように４種類の組み合わせによりビデオ信号を出力可能に、また後述する画素単位動き処理回路１３で処理可能に、保持したビデオ信号Ｓ１を繰り返し出力する。
【００２７】
ブロック単位動きベクトル検出回路８は、切替回路６、７から出力されるビデオ信号Ｓ６、Ｓ７によりマクロブロック単位で現フィールドのビデオ信号についての動きベクトルＶ１を検出して出力する。なおこの動きベクトルＶ１の検出にあっては、勾配法により実行するものの、ブロックマッチング法、位相相関法法等、種々の手法を広く適用することができる。
【００２８】
しかしてこの場合、上述した切替回路６、７から出力されるビデオ信号Ｓ６、Ｓ７の切り替えにより、ビデオ信号Ｓ１をリアルタイムにより処理する場合、ブロック単位動きベクトル検出回路８は、前フィールドのビデオ信号を基準にしてフィールド間で動きベクトルＶ１を検出する。これに対してビデオ信号Ｓ１をリアルタイムにより処理しない場合、ブロック単位動きベクトル検出回路８は、前フィールド、前々フィールド、後フィールド、後々フィールドをそれぞれ基準にした４種類の動きベクトルＶ１を検出する。
【００２９】
画素単位動きベクトル検出回路９は、図示しないコントローラの制御により、ビデオ信号Ｓ１をリアルタイムで処理しない場合に、ブロック単位動きベクトル検出回路８で検出される動きベクトルＶ１を用いて画素単位で動きベクトルＶ２を検出して出力する。しかして画素単位動きベクトル検出回路９は、上述した切替回路６、７から出力されるビデオ信号Ｓ６、Ｓ７の切り替えにより、前フィールド、前々フィールド、後フィールド、後々フィールドをそれぞれ基準にした４種類の動きベクトルＶ２を検出する。
【００３０】
記憶部１０は、画素単位動きベクトル検出回路９で検出される画素単位による４種類の動きベクトルＶ２を一時記録して保持し、後段の処理回路の処理に対応するタイミングで順次出力する。
【００３１】
切替回路１１は、図示しないコントローラの制御により、ビデオ信号Ｓ１をリアルタイムで処理する場合、ブロック単位動きベクトル検出回路８で検出される動きベクトルＶ１を選択して出力するのに対し、ビデオ信号Ｓ１をリアルタイムで処理しない場合、記憶部１０から出力される動きベクトルＶ２を選択して出力する。
【００３２】
この映像信号処理装置１においては、フィールド内挿処理によりビデオ信号Ｓ１のフィールド周波数を変換するようになされており、このフィールド内挿処理を動きベクトルを用いて実行する。このため映像信号処理装置１は、このようにして切替回路１１から出力される動きベクトルを内挿比により乗算して出力する。
【００３３】
ブロック単位動き補正処理回路１２は、図示しないコントローラの制御により、ビデオ信号Ｓ１をリアルタイムで処理する場合、このようにして内挿比により乗算して得られる動きベクトルにより、切替回路６、７から出力される対応するビデオ信号Ｓ６、Ｓ７をマクロブロック単位で動き補正して内挿フィールドのビデオ信号を生成し、この内挿フィールドのビデオ信号を例えば内挿比により加算して出力する。
【００３４】
画素単位動き補正処理回路１３は、図示しないコントローラの制御により、ビデオ信号Ｓ１をリアルタイムで処理しない場合、切替回路１１から出力される４種類の動きベクトルを各内挿比で乗算処理して得られる動きベクトルにより、切替回路６、７から出力される対応するビデオ信号Ｓ６、Ｓ７をそれぞれ画素単位で動き補正して内挿フィールドのビデオ信号を複数生成し、この内挿フィールドのビデオ信号を重み付け加算処理して出力する。
【００３５】
切替回路１４は、コントローラの制御により、ビデオ信号Ｓ１をリアルタイムで処理する場合、ブロック単位動き補正処理回路１２から出力されるビデオ信号を選択出力するのに対し、ビデオ信号Ｓ１をリアルタイムで処理しない場合、画素単位動き補正処理回路１３から出力されるビデオ信号を出力する。
【００３６】
（２）実施例の動作
以上の構成において、この映像信号処理装置１では、例えば生中継によるビデオ信号Ｓ１のフィールド周波数を変換して出力する場合、この処理対象のビデオ信号Ｓ１が切替回路３により選択されてフィールドメモリ４、５の直列回路に入力され、これにより現フィールドのビデオ信号Ｓ２に対して前フィールド及び前々フィールドのビデオ信号Ｓ３、Ｓ４が生成される。
【００３７】
現フィールドのビデオ信号Ｓ２は、前フィールドのビデオ信号Ｓ３と共に、それぞれ切替回路６、７を介してブロック単位動きベクトル検出回路８に入力され、ここで前フィールドのビデオ信号Ｓ３を基準にして動きベクトルＶ１がマクロブロック毎に検出される。またこの検出された動きベクトルＶ１が、切替回路１１を介して出力され、この映像信号処理装置１によるフィールド内挿処理に応じた内挿比により乗算処理され、続くブロック単位動き処理回路１２において、その乗算結果による動きベクトルによりマクロブロック単位で内挿フィールドのビデオ信号が生成され、これら内挿フィールドのビデオ信号が合成されて切替回路１４より出力される。
【００３８】
これらによりこの映像信号処理装置１では、リアルタイムでビデオ信号Ｓ１を処理する場合、処理速度の速い第１の動きベクトル検出回路であるブロック単位動きベクトル検出回路８により動きベクトルＶ１を検出し、この動きベクトルＶ１を用いて動き補正してビデオ信号Ｓ１を処理するようになされている。
【００３９】
これに対してビデオ信号Ｓ１をリアルタイムで処理しない場合、この映像信号処理装置１では、処理対象のビデオ信号Ｓ１が記憶部２に一時格納され、後段の処理に対応して低速度でフィールドメモリ４、５の直列回路に出力される。これにより映像信号処理装置１では、切替回路３から出力されるビデオ信号Ｓ２が現フィールドのビデオ信号Ｓ２の場合、フィールドメモリ４、５から前フィールド、前々フィールドのビデオ信号Ｓ３、Ｓ４を出力し、また最終段のフィールドメモリ５から出力されるビデオ信号Ｓ４が現フィールドのビデオ信号Ｓ４の場合、フィールドメモリ４、切替回路３から後フィールド、後々フィールドのビデオ信号Ｓ３、Ｓ２を出力する。
【００４０】
映像信号処理装置１では、記憶部２から出力するビデオ信号Ｓ２の制御と、切替回路３、フィールドメモリ４、５から出力されるビデオ信号Ｓ２〜Ｓ４を選択出力する切替回路６、７の制御とにより、前フィールド及び現フィールド、前々フィールド及び現フィールド、後フィールド及び現フィールド、後々フィールド及び現フィールドによる４つの組み合わせによるビデオ信号Ｓ６、Ｓ７が画素単位動きベクトル検出回路９にフィールド単位で入力され、この画素単位動きベクトル検出回路９における時分割の処理により、前フィールド、前々フィールド、後フィールド、後々フィールドをそれぞれ基準にした４種類の動きベクトルＶ２が検出される。
【００４１】
またこの４種類の動きベクトルＶ２が記憶部１０、切替回路１１を介して出力され、それぞれフィールド内挿処理に応じた内挿比により乗算処理され、続くブロック単位動き処理回路１２において、その処理結果による動きベクトルにより画素単位でそれぞれ内挿フィールドのビデオ信号が生成され、これら内挿フィールドのビデオ信号が合成されて切替回路１４より出力される。
【００４２】
これらによりこの映像信号処理装置１では、リアルタイムでビデオ信号Ｓ１を処理しない場合、処理速度の遅い反面、精度の高い第２の動きベクトル検出回路である画素単位動きベクトル検出回路９により動きベクトルＶ２を検出し、この動きベクトルＶ２を用いて高い精度により動き補正してビデオ信号Ｓ１を処理するようになされ、これにより画像歪みの発生を防止するようになされている。
【００４３】
またこの第２の動きベクトルＶ２に係る一連のビデオ信号Ｓ１の処理において、この映像信号処理装置１では、入力ビデオ信号Ｓ１を記憶部２に一時保持して繰り返し出力し、画素単位動きベクトル検出回路９における時分割の処理により、比較フィールドがそれぞれ前フィールド、前々フィールド、後フィールド、後々フィールドである複数種類の動きベクトルＶ２を検出し、この複数種類の動きベクトルＶ２によりビデオ信号Ｓ１を処理するようになされ、これによりリアルタイムの処理が求められない場合に、時間的な余裕を有効に利用して時分割の処理により複数の動きベクトルを検出して動きベクトルの誤検出を防止し、さらには動き補正の精度を向上し、その分、簡易な構成により一段と画像歪みの発生を防止することができるようになされている。
【００４４】
また画素単位動きベクトル検出回路９において、ブロック単位動きベクトル検出回路８で検出される動きベクトルＶ１を用いて画素単位で動きベクトルＶ２を検出するようになされ、またさらにはフィールドメモリ４、５の出力、入力ビデオ信号を切換回路６、７により切り換えて動きベクトル検出回路８、９に入力して動きベクトルＶ１、Ｖ２を検出するようになされ、これらにより検出精度の低いブロック単位動きベクトル検出回路に係る構成を有効に利用して第１の動きベクトルＶ１に係る構成と、第２の動きベクトルＶ２に係る構成とで構成を共用化し、簡易な構成により高い精度で画素単位の動きベクトルを検出し、さらには動き補正することができるようになされている。
【００４５】
すなわち単にリアルタイムの処理系とリアルタイムではない処理系との組み合わせにより、映像信号処理装置を構成したのでは、全体構成が複雑になる。しかしながらこの実施例のように、第１及び第２の動きベクトルに係る構成を共用化すれば、全体構成を簡略化することができ、また映像信号処理装置を小型化することができる。
【００４６】
（３）実施例の効果
以上の構成によれば、第１の動きベクトル検出回路であるブロック単位動きベクトル検出回路８による処理速度の速い処理系統と、第１の動きベクトル検出回路に比して検出精度の高い第２の動きベクトル検出回路である画素単位動きベクトル検出回路９による処理系統とでビデオ信号の処理を切り換えることにより、リアルタイムの処理が求められる場合と、リアルタイムの処理が求められない場合との双方に適したビデオ信号の処理を実行することができる。
【００４７】
また画素単位動きベクトル検出回路において、比較フィールドの異なる複数種類の動きベクトルを検出することにより、リアルタイムの処理が求められない場合に、動きベクトルの誤検出を防止し、さらには動き補正の精度を向上することができ、その分、一段と画像歪みの発生を防止することができる。
【００４８】
またこのような動きベクトルの検出において、ブロック単位動きベクトル検出回路で検出される精度の低い側の動きベクトルを基準にして、画素単位による動きベクトルを検出することにより、ブロック単位動きベクトル検出回路の構成を利用して簡易な構成により高い精度で第２の動きベクトルを検出することができ、その分、全体構成を簡略化することができる。
【００４９】
またこの第１及び第２の動きベクトル検出回路が、マクロブロック単位及び画素単位の動きベクトル検出回路であることにより、リアルタイムの処理においては、ブロック単位の処理により処理速度を優先してビデオ信号を処理し、リアルタイムの処理が求められない場合には、画素単位の処理により画像歪みの発生防止を優先して処理することができ、これらによりより具体的な構成により、リアルタイムの処理が求められる場合と、リアルタイムの処理が求められない場合との双方に適したビデオ信号の処理を実行することができる。
【００５０】
また入力ビデオ信号を順次フィールド単位で遅延させる遅延回路を構成するフィールドメモリ４、５を設け、切替回路６、７により、入力ビデオ信号と遅延回路の出力信号とを第１又は第２の動きベクトル検出回路に切り換えて出力することにより、動きベクトルの検出に使用する遅延回路を第１及び第２の動きベクトル検出回路で共用化することができ、その分、全体構成を簡略化することができる。
【実施例２】
【００５１】
なお上述の実施例においては、リアルタイムで処理する場合には、現フィールド、前フィールドのビデオ信号を用いて動きベクトルを検出し、リアルタイムで処理しない場合には、現フィールド、前フィールド、前々フィールド、後フィールド、後々フィールドのビデオ信号を用いて動きベクトルを検出する場合について述べたが、本発明はこれに限らず、これら以外のビデオ信号を用いて動きベクトルを検出する場合にも広く適用することができる。
【００５２】
また上述の実施例においては、リアルタイムで処理しない場合に、複数種類の動きベクトルを時分割の処理により検出する場合について述べたが、本発明はこれに限らず、必要に応じて複数種類の動きベクトルを同時並列的に検出するようにしてもよく、また実用上十分な精度を確保できる場合には、１種類のみ動きベクトルを検出するようにしてもよい。
【００５３】
また上述の実施例においては、動きベクトルを用いたフィールド内挿処理によりフィールド周波数を変換する場合について述べたが、本発明はこれに限らず、併せて動きベクトルを用いたライン内挿処理によりライン数を変換してビデオ信号のフォーマットを変換する場合等、動きベクトルを用いたビデオ信号の種々の処理に広く適用することができる。
【産業上の利用可能性】
【００５４】
本発明は、例えばビデオ信号のフォーマット変換装置、フィールド周波数変換装置等に適用することができる。
【図面の簡単な説明】
【００５５】
【図１】本発明の実施例に係る映像信号処理装置を示すブロック図である。
【符号の説明】
【００５６】
１……映像信号処理装置、２、１０……記憶部、３、６、７、１１、１４……切替回路、４、５……フィールドメモリ、８……ブロック単位動きベクトル検出回路、９……画素単位動きベクトル検出回路、１２……ブロック単位動き処理回路、１３……画素単位動き処理回路
【図１】
2006092399.tif 000003